(57)【要約】【課題】映像表示部の前方に存在する物体を避けて表示映像全体を見ることのできる映像表示装置を提供すること。【解決手段】本発明に係る映像表示装置は，予め設定されたアスペクト比，サイズ及び位置で映像を表示する液晶表示パネル１６から予め定められた所定範囲内の位置に物体が存在することを検出した場合に，該液晶表示パネル１６に表示される映像のサイズを，前記アスペクト比を維持しつつ前記物体の位置に応じて縮小すると共に，該液晶表示パネル１６における映像の表示位置を前記物体の位置に応じて設定するように構成される。具体体に，図２（ａ）に示すように映像Ａに干渉する位置に物体Ｙが存在する場合，図２（ｂ）に示すように物体Ｙを避けて縮小されたサイズ及び位置で映像Ｂが表示される。【選択図】図２
2009258326.tif 000002
【特許請求の範囲】
【請求項１】
予め設定されたアスペクト比，サイズ及び位置で映像を表示する映像表示部を備えてなる映像表示装置であって，
前記映像表示部の前方に存在する物体の位置を検出する物体位置検出手段と，
前記物体位置検出手段により前記映像表示部から予め定められた所定範囲内の位置に物体が存在することが検出された場合に，前記映像表示部に表示される映像のサイズを前記アスペクト比を維持しつつ前記物体の位置に応じて縮小すると共に，前記映像表示部における映像の表示位置を前記物体の位置に応じて設定する表示形態変更手段と，
を備えてなることを特徴とする映像表示装置。
【請求項２】
前記表示形態変更手段が，前記映像表示部及び前記物体を正面視したときに，前記映像表示部に表示される映像と前記物体とが干渉しないように，前記映像表示部に表示される映像のサイズの縮小及び表示位置の設定を行うものである請求項１に記載の映像表示装置。
【請求項３】
前記表示形態変更手段が，予め設定された所定時間継続して前記物体位置検出手段により前記物体が検出された場合に，前記映像表示部に表示される映像のサイズの縮小及び表示位置の設定を行うものである請求項１又は２のいずれかに記載の映像表示装置。
【請求項４】
前記表示形態変更手段による処理機能の有効／無効を任意に設定する手動設定手段を更に備えてなる請求項１〜３のいずれかに記載の映像表示装置。
【請求項５】
前記表示形態変更手段による処理機能の有効／無効を前記映像表示部に表示される映像の内容に応じて設定する自動設定手段を更に備えてなる請求項１〜３のいずれかに記載の映像表示装置。
【請求項６】
前記表示形態変更手段が，前記物体の位置に応じて映像を縮小するときのサイズが予め設定された最小サイズよりも小さくなる場合，該映像のサイズを前記最小サイズに設定するものである請求項１〜５のいずれかに記載の映像表示装置。
【請求項７】
前記物体の位置に応じて映像を縮小するときのサイズが予め設定された最小サイズよりも小さくなる場合，前記表示形態変更手段による処理機能を無効にすると共に，前記物体の撤去を促す通知を行う物体撤去通知手段を更に備えてなる請求項１〜５のいずれかに記載の映像表示装置。
【発明の詳細な説明】
【技術分野】
【０００１】
本発明は，液晶表示パネル等の映像表示部を備えた映像表示装置に関し，特に，映像表示部の前方に存在する物体との干渉を避けて映像を表示することのできる映像表示装置に関するものである。
【背景技術】
【０００２】
昨今，大型の液晶テレビジョン受像機（以下「テレビ」と略称する）が普及し，これにより，映画やスポーツ，自然の風景等に関する放送番組の視聴に際して臨場感のある映像を一般家庭でも提供できるようになった。その一方で，テレビの大型化によって，例えばテレビの前方に配置された花瓶などの調度品の一部が映像表示部に干渉する場合など，その設置場所における調度品との関係によって，そのテレビに表示される映像の一部を見ることができない状況が想定される。  なお，特許文献１には，光透過型の表示部を有する画像再生装置において，該表示部の背面側の実体物を見ることができるように，該表示部上に表示される画像の位置を個別に移動させることについての記載がなされている。
【特許文献１】特開２００６−１４５９２２号公報
【発明の開示】
【発明が解決しようとする課題】
【０００３】
しかしながら，前記特許文献１の技術は，光透過型の表示部上に表示される一つ一つの画像の表示位置を移動させるものであるため，テレビのように映像表示部の表示画面全体で一つの意味を成す映像を表示するものに適用することはできない。仮に前記特許文献１の技術をテレビに適用した場合には，表示映像全体を移動させることになるため，該表示映像全体を見ることができなくなるという問題が生じる。また，仮に映像を縮小させるとしてもその縮小の条件が定められていなければ，その映像が本来の形態を成さずユーザにとって不要なものになるおそれがある。
従って，本発明は上記事情に鑑みてなされたものであり，その目的とするところは，映像表示部の前方に存在する物体を避けて表示映像全体を見ることのできる映像表示装置を提供することにある。
【課題を解決するための手段】
【０００４】
上記目的を達成するために，本発明は，予め設定されたアスペクト比，サイズ及び位置で映像を表示する映像表示部を備えてなる映像表示装置に適用されるものであって，前記映像表示部の前方に存在する物体の位置を検出する物体位置検出手段と，前記物体位置検出手段により前記映像表示部から予め定められた所定範囲内の位置に物体が存在することが検出された場合に，前記映像表示部に表示される映像のサイズを前記アスペクト比を維持しつつ前記物体の位置に応じて縮小すると共に，前記映像表示部における映像の表示位置を前記物体の位置に応じて設定する表示形態変更手段とを備えてなることを特徴とする映像表示装置として構成される。
本発明に係る映像表示装置は，前記映像表示部に表示された映像を見るときに邪魔になる物体が存在する場合に，その物体を避けるように前記映像表示部の映像のサイズや位置を変更することが可能である。このとき，前記映像表示部に表示される映像のアスペクト比が予め設定されたアスペクト比で維持されるという条件で映像が縮小されるため，該映像表示部に表示される映像が，その映像本来の形態を成しており，ユーザは映像全体を正確に捉えることができる。
具体的には，前記表示形態変更手段が，前記映像表示部及び前記物体を正面視したときに，前記映像表示部に表示される映像と前記物体とが干渉しないように，前記映像表示部に表示される映像のサイズの縮小及び表示位置の設定を行うものであることが考えられる。これにより，前記映像表示装置の正面から前記映像表示部を視聴するユーザは，前記物体を避けて映像全体を捉えることができる。
【０００５】
ところで，人やペット（動物）などが前記映像表示部から前記所定範囲内の位置を一時的に通過する度に，前記映像表示部に表示される映像のサイズや位置が切り替わると，該映像表示部を視聴するユーザに不快感を与えるおそれがある。
そのため，前記表示形態変更手段は，予め設定された所定時間継続して前記物体位置検出手段により前記物体が検出された場合に，前記映像表示部に表示される映像のサイズの縮小及び表示位置の設定を行うものであることが望ましい。
このような構成によれば，人やペット（動物）などが一時的に前記映像表示部の映像の一部を遮るような場合には，該映像表示部の映像のサイズや位置が変更されず，定常的に置かれた調度品などが前記映像表示部の映像を遮っているような場合にだけ，前記映像表示部の映像のサイズや位置を変更させることができる。
【０００６】
また，前記表示形態変更手段による処理機能は，ユーザの好みによって必要でない場合も考えられる。そのため，前記表示形態変更手段による処理機能の有効／無効は任意に設定することができることが望ましい。これにより，ユーザによって自由に前記処理機能の有効／無効を切り替えることができ，利便性が向上する。
一方，前記映像表示部に表示される映像がテレビジョン放送である場合，その映像の内容によっては映像の全体を見る必要性の低いものがある。例えば，ニュース番組や天気予報などは，映画やスポーツ，音楽ライブなどに比べて，映像の全体を見る必要性が低いと考えられる。
そこで，前記映像表示部に表示される映像の内容に応じて，前記表示形態変更手段による処理機能の有効／無効を切り替える構成も考えられる。この場合には，ユーザ操作を必要とすることなく，前記処理機能の必要性に応じて自動的にその有効／無効を切り替えることができる。
【０００７】
但し，前記物体の位置が，前記映像表示部の表示映像を大きく遮るような場合には，該映像表示部に表示される映像のサイズが小さくなりすぎるおそれがある。そこで，前記表示形態変更手段が，前記物体の位置に応じて映像を縮小するときのサイズが予め設定された最小サイズよりも小さくなる場合には，該映像のサイズを前記最小サイズに設定することが考えられる。これにより，前記表示形態変更機能によって変更される映像を，前記最小サイズよりも小さくならないようにすることができ，最低限の表示サイズを確保することができる。
他方，前記物体の位置に応じて映像を縮小するときのサイズが予め設定された最小サイズよりも小さくなる場合に，前記表示形態変更手段による処理機能を無効にすると共に，前記物体の撤去を促す通知を行うことも考えられる。これにより，前記映像の表示サイズが小さくなりすぎることを防止することができる。このとき，前記表示形態変更手段による処理機能が有効であっても前記映像のサイズが変更されないため，ユーザが故障と誤認するおそれがある。しかしながら，この場合には，前記物体の撤去を促す通知が行われるため，ユーザは，前記表示形態変更手段による処理機能が有効に働いた場合に映像のサイズが小さくなりすぎるために，該処理機能が有効に働かなかったと判断することができ，故障ではないことを認識することができる。
【発明の効果】
【０００８】
本発明によれば，前記映像表示部に表示された映像を見るときに邪魔になる物体が存在する場合に，その物体を避けるように前記映像表示部の映像のサイズや位置を変更することが可能である。このとき，前記映像表示部に表示される映像のアスペクト比が予め設定されたアスペクト比で維持されるという条件で映像が縮小されるため，該映像表示部に表示される映像が，その映像本来の形態を成しており，ユーザは映像全体を正確に捉えることができる。
また，予め設定された所定時間継続して前記物体位置検出手段により前記物体が検出された場合に，前記映像表示部に表示される映像のサイズの縮小及び表示位置の設定を行うことにより，人やペット（動物）などが一時的に前記映像表示部の映像の一部を遮るような場合に，該映像表示部の映像のサイズや位置が変更されず，定常的に置かれた調度品などが前記映像表示部の映像を遮っているような場合にだけ，前記映像表示部の映像のサイズや位置を変更させることができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置の一例である液晶テレビジョン受像機Ｘの概略構成を表すブロック図，図２は本発明の実施形態に係る映像表示装置の一例である液晶テレビジョン受像機Ｘに設けられた液晶表示パネル１６による映像の表示例を説明するための図，図３は液晶テレビジョン受像機Ｘで実行される表示形態変更処理の手順の一例を表すフローチャート，図４は液晶テレビジョン受像機Ｘの内部におけるバックライト用光源の配置状態を表す図，図５は液晶テレビジョン受像機Ｘにおけるバックライト用光源の点灯状態の一例を表す図である。
【００１０】
まず，図１に示すブロック図を参照しつつ，本発明の実施形態に係る映像表示装置の一例である液晶テレビジョン受像機Ｘの構成について説明する。
液晶テレビジョン受像機Ｘは，アンテナ等により受信されたテレビジョン放送信号から放送番組に関する映像信号を抽出し，その映像信号に基づく映像を表示するものである。
図１に示すように，液晶テレビジョン受像機Ｘは，ディジタルチューナ１，復調回路２，デマルチプレクサ３，映像デコーダー回路４，映像入力選択回路５，映像処理回路６，外部入力部７，制御回路８，リモコン受光部９，リモコン１５，液晶表示パネル１６（映像表示部の一例），バックライト用の光源である白色ＬＥＤ２１，ＬＥＤ駆動回路２０，明るさセンサ１９，物体位置検出センサ２３（物体位置検出手段の一例），音声デコーダー回路１０，音声入力選択回路１１，音声処理回路１２，アンプ１３，及びスピーカ１４等を具備している。
【００１１】
前記ディジタルチューナ１は，前記制御回路８により選択を指示された放送番組の信号が含まれる搬送波周波数成分を選択して後段の復調回路２に伝送する。
前記復調回路２は，前記ディジタルチューナ１から伝送されてきた搬送波周波数成分からトランスポートストリーム（Transport Stream）信号を復調する。
前記デマルチプレクサ３は，前記ディジタルチューナ１及び前記復調回路２により抽出されたトランスポートストリーム信号から，視聴する放送番組に対応した映像信号及び音声信号，並びに付加データ等を分離して抽出するものである。更に，前記デマルチプレクサ３は，前記制御回路８から受けたＰＩＤ（Packet IDentification)に応じて，視聴対象となる放送番組の映像信号及び音声信号を抽出し，各信号を前記映像デコーダー回路４及び前記音声デコーダー回路１０それぞれに伝送する。
前記映像デコーダー回路４は，前記デマルチプレクサ３から受けた映像信号を復号し，復号した映像信号を前記映像入力選択回路５に伝送する。同様に，前記音声デコーダー回路１０は，前記デマルチプレクサ３から受けた音声信号を復号し，復号した音声信号を前記音声入力選択回路１１に伝送する。
【００１２】
前記音声入力選択回路１１は，前記制御回路８からの制御指令に従って，前記ディジタルチューナ１により選局されたチャンネルの音声信号（前記音声デコーダー回路１０を通じて入力される音声信号）と，前記外部入力部７を通じて入力される音声信号のいずれかを選択して前記音声処理回路１２へ伝送する回路である。
前記音声処理回路１２は，前記制御回路８からの指示に従って，前記音声入力選択回路１１により選択された音声信号に対して各種信号処理を行うものである。例えば，前記スピーカ１４の特性に合わせたイコライズ処理や，サラウンド処理等を行う。前記アンプ１３は，前記音声処理回路１２による処理後の音声信号を，前記制御回路８からの指示に従って増幅或いは減衰させる処理を行い，前記スピーカ１４に出力するものである。
【００１３】
前記外部入力部７は，外部機器から映像信号及び音声信号を入力する信号入力インターフェースである。この外部入力部７を通じて入力された映像信号は前記映像入力選択回路５へ伝送され，同音声信号は前記音声入力選択回路１１へ伝送される。
前記映像入力選択回路５は，前記制御回路８からの制御指令に従って，前記ディジタルチューナ１により選局されたチャンネルの映像信号（前記映像デコーダー回路４を通じて入力される映像信号）と，前記外部入力部７を通じて入力される映像信号のいずれかを選択して前記映像処理回路６へ伝送する回路である。即ち，前記映像入力選択回路５は，前記液晶表示パネル１６に表示させる映像に対応する映像信号の入力先を選択する（切り替える）回路である。
【００１４】
前記映像処理回路６は，前記映像入力選択回路５により選択された映像信号に対して各種信号処理を行うものである。具体的に，前記映像処理回路６は，前記液晶表示パネル１６に表示させる映像のアスペクト比，サイズ及び位置を，前記制御回路８からの指示に基づいて設定する表示形態設定機能を備えている。
前記液晶表示パネル１６（映像表示部の一例）は，前記映像処理回路６から出力される映像信号に基づく映像（放送番組の映像）を表示するものである。このとき前記液晶表示パネル１６には，前記映像処理回路６の表示条件設定機能によって予め設定されたアスペクト比，サイズ及び位置で映像が表示される。なお，本発明は，ブラウン管方式やプラズマ方式等の他の映像表示部を備える映像表示装置への適用も可能である。
【００１５】
前記液晶表示パネル１６の背面には，その液晶表示パネル１６を背面から照明するバックライト用の光源として白色波長の光を発光する白色ＬＥＤ２１が設けられている。ここに，図４は，液晶テレビジョン受像機Ｘの内部における白色ＬＥＤ２１の配置状態を表す図である。図４に示すように，液晶テレビジョン受像機Ｘでは，複数の白色ＬＥＤ２１が等間隔で千鳥状に複数列設置されている。
また，前記ＬＥＤ駆動回路２０は，制御回路８から出力される制御指令に従って，前記白色ＬＥＤ２１各々に対する供給電力を調節することにより，前記白色ＬＥＤ２１ごとの点灯及び消灯や明るさ調節などを個別に制御する。例えば，前記明るさセンサ１９は，液晶表示パネル１６の前面側の明るさを検知するセンサであって，前記制御回路８は，前記明るさセンサ１９による検知結果に応じて前記白色ＬＥＤ２１各々の明るさ（光量）調節等を行う。
【００１６】
前記リモコン受光部９は，当該液晶テレビジョン受像機Ｘの操作用のリモコン１５（リモート操作器）から，所定の信号伝送プロトコルに従って赤外線による無線信号受信を行う信号伝送インターフェースである。前記リモコン受光部９は，赤外線信号伝送によって前記リモコン１５に対する操作入力情報を取得し，その操作入力情報を前記制御回路８に伝送する。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該液晶テレビジョン受像機Ｘ全体を制御するものである。前記不揮発メモリ８ｃは，例えばフラッシュメモリ等である。
【００１７】
また，前記物体位置検出センサ２３（物体位置検出手段の一例）は，前記液晶表示パネル１６の前方に存在する物体の位置を検出するものであって，その検出結果を前記制御回路８に伝送する。
具体的に，前記物体位置検出センサ２３は，当該液晶テレビジョン受像機Ｘの前面パネルに設けられた複数の赤外線センサ（発光部，受光部を含む）を有してなり，該赤外線センサ各々による検出結果に基づいて物体の存在する位置を判断する。なお，前記物体位置検出センサ２３は，前記の構成に限られず従来周知の各種センサや手法を用いればよい。例えば超音波センサを用いることも考えられる。複数の赤外線センサや超音波センサなどを用いて物体の位置を検出する手法は従来周知であるため，ここでは説明を省略する。
そして，前記制御回路８は，後述する表示形態変更処理（図３のフローチャート参照）を実行することにより，前記物体位置検出センサ２３による検出結果に基づいて，前記液晶表示パネル１６上に表示する映像のサイズや位置などの表示形態を変更する。
【００１８】
以下，図３に示すフローチャートを参照しつつ，当該液晶テレビジョン受像機Ｘにおいて前記制御回路８（のＭＰＵ８ａ）が所定のプログラムを実行することによって実現される表示形態変更処理の手順の一例について説明する。なお，以下に示すＳ１，Ｓ２，…は，処理手順（ステップ）の識別符号を表す。
まず，ステップＳ１で，前記制御回路８は，当該液晶テレビジョン受像機Ｘにおいて，前記液晶表示パネル１６の表示映像のサイズや位置を自動的に変更する表示形態変更機能が有効に設定されているか否かを判断する。具体的に前記表示形態変更機能は，後述のステップＳ２〜Ｓ９（或いはＳ８１）の各処理を実行する機能をいう。
ここに，前記表示形態変更機能の有効／無効は，ユーザが前記リモコン１５を用いて当該テレビジョン受像機Ｘの各種設定を行うメニュー表示画面に従って操作を行うことにより，前記制御回路８によって任意に設定される。なお，係る設定処理を実行するときの前記制御回路８が手動設定手段に相当する。
【００１９】
前記ステップＳ１において，前記表示形態変更機能が有効に設定されていない場合には（Ｓ１のＮｏ側），当該ステップＳ１の判断が適時繰り返し実行されるが，有効に設定されていると判断された場合には（Ｓ１のＹｅｓ側），処理はステップＳ２に移行する。
次に，前記制御回路８は，ステップＳ２において，後述のステップＳ６の判断指標となる実行待機時間を設定するための処理を実行し，ステップＳ３において，後述のステップＳ８の判断指標となる最小サイズを設定するための処理を実行する。
具体的に，前記実行待機時間や前記最小サイズの設定処理は，前記液晶表示パネル１６にそれらを設定させるための表示を行い，ユーザに対して前記リモコン１５を用いて設定操作を行わせることが考えられる。そして，前記制御回路８は，ユーザによる前記リモコン１５の操作に従って前記実行待機時間や前記最小サイズを設定する。
なお，当該ステップＳ２，ステップＳ３の設定処理は，その都度実行する必要はない。例えば，前回の設定内容や初期設定内容などをそのまま用いることで，当該ステップＳ２，ステップＳ３の処理を省略することも考えられる。この場合には，ユーザによって前記リモコン１５の操作がなされ，前記実行待機時間や前記最小サイズの変更要求があった場合にのみ，前記ステップＳ２や前記ステップＳ３を実行するように処理すればよい。
【００２０】
そして，前記制御回路８は，続くステップＳ４において，前記物体位置検出センサ２３による検出結果に基づいて，前記液晶表示パネル１６から予め設定された所定範囲内の位置に物体（障害物）が存在するか否かを判断する。なお，前記物体としては，例えば花瓶や電気スタンドなどの調度品が考えられる。
ここに，前記所定範囲は，前記物体が前記液晶表示パネル１６の表示映像を見るための障害となる範囲を示すものであって，前記液晶テレビジョン受像機Ｘごとに予め設定可能なパラメータである。例えば，一般家庭では，ユーザは前記液晶表示パネル１６から２ｍ以上離れた位置から該液晶表示パネル１６の映像を視聴する。このとき，ユーザよりも後ろに位置する物体が視聴の障害になることはない。そのため，前記所定範囲を２ｍ以下に設定しておくことで，２メートルよりも遠くに存在する物体を障害物として判断しないように処理することが望ましい。また，視聴者の眼球に赤外線を照射してその反射光を検出する視線検出技術を利用して，或いは前記リモコン１５の位置を特定すること等によってユーザの位置を検出し，そのユーザの位置と前記液晶表示パネル１６との間に存在する物体のみを障害物として認識するように構成してもよい。
当該ステップＳ４において，前記所定範囲内の位置に物体が存在しないと判断された場合には（Ｓ４のＮｏ側），当該ステップＳ４における判断が適時繰り返し実行される。
他方，当該ステップＳ４において，前記所定範囲内の位置に何らかの物体が存在すると判断された場合には（Ｓ４のＹｅｓ側），その物体が前記液晶表示パネル１６に表示される映像の視聴の障害になると判断し，処理はステップＳ５に移行する。
【００２１】
次に，ステップＳ５では，前記制御回路８は，不図示のタイマ回路を制御することにより，時間の計時を開始させる。もちろん，ここで時間を計時する手段はタイマ回路などのハードウェアに限られず，ソフトウェアによって具現されるものであってもよい。なお，既に計時が実行されている場合，前記制御回路８は，その計時を継続させる。
ここで，前記タイマ回路（不図示）による計時時間は，前記ステップＳ４において，前記所定範囲内の位置に物体が存在しないと判断された時点で，前記制御回路８によってリセットされる。即ち，前記ステップＳ５で開始される前記タイマ回路（不図示）による計時時間は，前記物体位置検出センサ２３によって前記所定範囲内の位置に物体が存在すると判断されている間の継続時間である。
【００２２】
そして，前記制御回路８は，ステップＳ６において，前記タイマ回路（不図示）による計時時間が予め設定された前記実行待機時間に達したか否かを判断する。即ち，当該ステップＳ６では，前記実行待機時間継続して前記所定範囲内の位置に物体が存在しているか否かを判断している。ここに，前記実行待機時間は，例えば，前記物体位置検出センサ２３によって検出された物体が，前記液晶表示パネル１６の前方を一時的に移動する人やペット（動物）などであるか，それとも定常的に前記液晶表示パネル１６の前方に存在する調度品などであるかを判断するために予め設定される時間である。
ここで，前記タイマ回路（不図示）による計時時間が前記実行待機時間に達していないと判断されている間は，前記ステップＳ４に戻り，前記ステップＳ６までの処理が適時繰り返し実行される。他方，前記タイマ回路（不図示）による計時時間が前記実行待機時間に達したと判断されると（Ｓ６のＹｅｓ側），処理はステップＳ７に移行する。
【００２３】
次に，ステップＳ７では，前記制御回路８は，前記物体位置検出センサ２３によって検出された物体の位置に応じて，前記液晶表示パネル１６に表示させる映像のサイズの縮小及び表示位置の設定を行う。
具体的に，前記制御回路８は，前記液晶表示パネル１６と前記物体とを正面視したとき，前記液晶表示パネル１６に表示される映像と前記物体とが干渉しないように，前記液晶表示パネル１６に表示される映像のサイズの縮小及び表示位置の設定を行う。
但し，このとき，前記液晶表示パネル１６に表示されている映像のアスペクト比（横幅と縦幅の比）を変更すると，該映像が本来の映像の形態を成さず，ユーザにとって不快な映像になるおそれがある。そのため，前記制御回路８は，前記液晶表示パネル１６に表示させる映像のアスペクト比として予め設定された値を維持しつつ，該映像の表示サイズと表示位置だけを変更する。なお，前記アスペクト比は，例えば４：３や１６：９に予め設定されている。
例えば，前記制御回路８は，予め設定された複数段階の画面サイズ（２０型，２６型，３２型，３８型，５２型など）を切り替えるものであることが考えられる。もちろん，既定の画面サイズにとらわれずとも，既定のアスペクト比を維持することができれば，任意に映像の表示サイズを変更してもよい。
【００２４】
そして，ステップＳ８では，前記制御回路８は，前記ステップＳ７で設定した映像のサイズが，予め設定された前記最小サイズ以上であるか否かを判断する。ここで，前記最小サイズは，前記映像があまりにも小さくなりすぎないように予め設定されるものである。例えば，前記最小サイズは，前記液晶表示パネル１６の全画面サイズの半分であることが考えられる。
ここで，前記最小サイズ以上であると判断された場合には（Ｓ８のＹｅｓ側），処理はステップＳ９に移行し，前記最小サイズよりも小さいと判断された場合には（Ｓ８のＮｏ側），処理はステップＳ８１に移行する。
【００２５】
ステップＳ９に移行した場合には，前記制御回路８は，該ステップＳ９において，前記ステップＳ７で設定された映像のサイズ及び位置で映像を表示させるように，前記映像処理回路６に対して指示を行う。これにより，前記映像処理回路６によって表示される映像のサイズ及び位置が，前記ステップＳ７で設定されたサイズ及び位置に変更される。
ここに，図２は前記液晶表示パネル１６に表示される映像のサイズ及び位置が変更される場合の一例を表す図であって，（ａ）が元の映像Ａ，（ｂ）が変更後の映像Ｂを示している。なお，図２（ａ），（ｂ）に示された破線は映像表示領域であって，該映像表示領域各々のアスペクト比は同一である。
従来では，図２（ａ）に示すように，前記液晶表示パネル１６を正面視したとき，前記テレビジョン受像機Ｘの前方に物体Ｙが存在する場合には，前記液晶表示パネル１６に表示される映像Ａに物体Ｙが干渉し，その映像Ａの全体を見ることができない。
しかしながら，前述したように，前記表示形態変更処理（図３のフローチャート参照）が実行される前記テレビジョン受像機Ｘでは，前記液晶表示パネル１６を正面視したとき，前記テレビジョン受像機Ｘの前方に物体Ｙが存在する場合には，その物体Ｙを避けるように前記液晶表示パネル１６に表示される映像Ａのサイズや位置が変更される。
具体的に，前記液晶表示パネル１６では，図２（ｂ）に示すように，前記物体Ｙに干渉する部位を除く領域の範囲に収まるように縮小されたサイズの映像Ｂが表示されることになる。このとき，前記映像Ｂは，前記映像Ａを既定のアスペクト比を維持して縮小したものであるため，その映像Ａの相似形であり該映像Ａの本来の形態を成すものであって，ユーザに違和感を与えることがない。
【００２６】
これに対し，前記ステップＳ８１では，前記制御回路８は，前記ステップＳ７における映像のサイズや位置の設定を無効とし，前記液晶表示パネル１６の前方に存在する物体の撤去を促す通知を前記液晶表示パネル１６に表示させる。即ち，前記ステップＳ７で設定された映像のサイズが前記最小サイズよりも小さい場合には，前記制御回路８は，前記ステップＳ９のように前記液晶表示パネル１６における映像のサイズや位置を変更しないように処理している（表示形態変更機能の無効化）。ここに，係る表示処理を実行するときの前記制御回路８が物体撤去通知手段に相当する。
これにより，前記液晶表示パネル１６に表示される映像のサイズが小さくなりすぎることを防止することができる。但し，この場合には，前記表示形態変更機能が有効に設定されているにもかかわらず前記液晶表示パネル１６の映像のサイズが変更されないことになるため，ユーザが故障と認識するおそれがある。
しかしながら，前記ステップＳ８１では，前記物体の撤去を促す通知が表示されるため，ユーザは，当該表示形態変更機能が故障しているのではなく，映像が小さくなりすぎるために変更が行われなかったということを認識することができる。もちろん，前記液晶表示パネル１６の前方に存在する物体を避けて映像を表示するとその映像のサイズが小さくなりすぎる旨を表示させ，その後，映像を縮小するか否かをユーザに選択させてもよい。
なお，前記ステップＳ８１において，前記制御回路８が，前記ステップＳ７で設定されたサイズを前記最小サイズに変更して設定することも他の実施例として考えられる。この場合には，前記液晶表示パネル１６に表示される映像が小さくなりすぎないように制御することができる。もちろん，この場合にも物体の撤去を促す通知を行えばよい。
【００２７】
以上説明したように，前記テレビジョン受像機Ｘでは，前記物体位置検出センサ２３により前記液晶表示パネル１６から予め定められた所定範囲内の位置に物体が存在することが検出された場合に，前記液晶表示パネル１６に表示される映像のサイズを予め設定されたアスペクト比を維持しつつ前記物体の位置に応じて縮小すると共に，前記液晶表示パネル１６における映像の表示位置を前記物体の位置に応じて設定するため，ユーザは，前記物体によって一部が欠けた映像ではなく，且つ元の映像バランスが維持された状態で，その映像の全体を見ることができる。ここに，係る制御処理を実行するときの前記制御回路８が表示形態変更手段に相当する。
【００２８】
ところで，前記ステップＳ９では，前記制御回路８は，前記液晶表示パネル１６に表示される映像のサイズや位置を変更させると共に，前記ＬＥＤ駆動回路２０を制御することにより，前記液晶表示パネル１６における映像の非表示領域を照明する白色ＬＥＤ２１を消灯させ（或いは，消灯した状態に維持し），映像の表示領域を照明する白色ＬＥＤ２１を点灯させる（或いは点灯した状態に維持する）制御も実行する。
図５は，前記ステップＳ９の処理後のバックライト用光源の点灯状態の一例を表す図である。図５に示されているように，前記制御回路８は，前記液晶表示パネル１６全体のサイズａ１の映像Ａ（図２（ａ）参照）をサイズａ２の映像Ｂ（図２（ｂ）参照）に縮小して表示する場合には，前記白色ＬＥＤ２１のうち前記映像Ｂのサイズａ２に対応する位置を照明するもののみが点灯し，それ以外が消灯する状態に切り替える。これにより，省電力化を図ることができる。
なお，本実施の形態で説明した前記ＬＥＤ駆動回路２０は，バックライト用の白色ＬＥＤ２１を個別に点灯及び消灯することが可能なものであったが，該白色ＬＥＤ２１を一行又は複数行ごとの単位で，或いは任意のエリアごとの単位で点灯及び消灯することが可能なものであることも考えられる。この場合にも，前記サイズａ２で映像Ｂを表示する場合には，そのサイズａ２の範囲が少なくとも照射されるような単位で白色ＬＥＤ２１を点灯させ，その他の白色ＬＥＤ２１を消灯させるように制御すればよい。
また，バックライトが白色ＬＥＤ２１からなる場合を例に挙げて説明したが，白色発光する冷陰極管及び赤色発光する赤色ＬＥＤからなるハイブリッド型のバックライトや，ＲＧＢ三色のＬＥＤの組み合わせからなるバックライトなど，各種のバックライトを用いてもよい。
【実施例１】
【００２９】
前記実施の形態では，前記表示形態変更機能の有効／無効がユーザの選択によって設定される場合を例に挙げて説明した。本実施例１では，前記表示形態変更機能の有効／無効を自動的に切り替える手法について説明する。
具体的に，前記制御回路８が，前記液晶表示パネル１６に表示される映像の内容を検出し，その内容に応じて前記表示形態変更機能の有効／無効を切り替えるように構成することが考えられる。ここに，係る処理を実行するときの前記制御回路８が自動設定手段に相当する。
例えば，前記液晶テレビジョン受像機Ｘでは，前記制御回路８は，前記ディジタルチューナ１から受信される電子番組情報（ＥＰＧ）に基づいて，受信するテレビジョン放送の番組内容を示す分類項目を取得することができる。なお，前記分類項目には，例えばニュース／報道，スポーツ，情報ワイドショー，ドラマ，音楽，バラエティー，映画，アニメ，ドキュメント，劇場，趣味教育，福祉などが含まれる。また，これらの大分類の中で更に詳細な分類もなされる。
そこで，前記制御回路８は，前記液晶表示パネル１６に表示する番組の分類項目に応じて，前記表示形態変更機能の有効／無効を切り替えることが考えられる。例えば，映像全体を見る必要性の低いと思われるニュース／報道などの場合は前記表示形態変更機能を無効にし，映像全体を見る必要性の高い映画などの場合は前記表示形態変更機能を有効に設定することが考えられる。もちろん，分類項目と有効／無効との対応関係については，予めユーザによる設定が可能であることが望ましい。
このような構成によれば，前記液晶表示パネル１６の前方に映像を遮る物体が存在するとき，前記液晶表示パネル１６の映像のサイズを変更する必要性の高い内容の映像を表示する場合には，その物体を避けて縮小されたサイズで映像全体を見ることが可能となり，ユーザによる設定変更やサイズ変更の手間を省くことができる。
【産業上の利用可能性】
【００３０】
本発明は，テレビジョン受像機やモニタ装置などの映像表示装置に利用可能である。
【図面の簡単な説明】
【００３１】
【図１】本発明の実施形態に係る映像表示装置の一例である液晶テレビジョン受像機Ｘの概略構成を表すブロック図。
【図２】本発明の実施形態に係る映像表示装置の一例である液晶テレビジョン受像機Ｘに設けられた液晶表示パネル１６による映像の表示例を説明するための図。
【図３】液晶テレビジョン受像機Ｘで実行される表示形態変更処理の手順の一例を表すフローチャート。
【図４】液晶テレビジョン受像機Ｘの内部におけるバックライト用光源の配置状態を表す図。
【図５】液晶テレビジョン受像機Ｘにおけるバックライト用光源の点灯状態の一例を表す図。
【符号の説明】
【００３２】
Ｘ  ：液晶テレビジョン受像機（映像表示装置の一例）
Ｙ  ：物体
１  ：ディジタルチューナ
２  ：復調回路
３  ：デマルチプレクサ
４  ：映像デコーダー回路
５  ：映像入力選択回路
６  ：映像処理回路
７  ：外部入力部
８  ：制御回路
９  ：リモコン受光部
１０：音声デコーダー回路
１１：音声入力選択回路
１２：音声処理回路
１３：アンプ
１４：スピーカ
１５：リモコン
１６：液晶表示パネル（映像表示部の一例）
１９：明るさセンサ
２０：ＬＥＤ駆動回路
２１：ＬＥＤ（バックライト用の光源）
２３：物体位置検出センサ（物体位置検出手段の一例）
Ｓ１，Ｓ２，…：ステップ（処理手順）
【図１】
2009258326.tif 000003
【図２】
2009258326.tif 000004
【図３】
2009258326.tif 000005
【図４】
2009258326.tif 000006
【図５】
2009258326.tif 000007